(57)【要約】【課題】  原稿の位置ずれを確実に阻止しながら外光の入射を防ぐ画像読取装置を提供する。【解決手段】  スキャナ本体に軸支された原稿押え板４は、第１押え板５、第２押え板６、第３押え板７および発泡部材８により構成される。第１押え板５および第２押え板６には、互いに連通する第１開口部５ａと第２開口部６ａとがそれぞれ設けられている。第１押え板５と第２押え板６との隙間に、第３押え板７がスプリング１０の付勢力によってスライド可能に配設されている。第３押え板７をスプリング１０の付勢力に抗してスライドさせた状態では、第１開口部５ａ〜第３開口部７ａが互いに連通して、原稿押え板４を貫通する開口部が形成された状態となる。第３押え板７がスプリング１０の付勢力から開放された状態では、第１開口部５ａと第２開口部６ａとの間が第３押え板７によって塞がれた状態となる。【選択図】        図２
2006345161.tif 000002
【特許請求の範囲】
【請求項１】
原稿を電子データとして読み取るための読取本体部と、
前記読取本体部に開閉可能に軸支され、前記読取本体部に載置される原稿を上方から押えるための原稿押え板と
を有し、
前記原稿押え板は、
互いに対向するように配設され、互いに連通する所定の第１開口部および第２開口部がそれぞれ形成された第１部材および第２部材と、
前記第１部材と前記第２部材との間にスライド可能に配設され、所定の第３開口部が形成された第３部材と、
前記第１部材と前記第２部材との間に配設され、前記第３部材に付勢力を与える付勢部材と、
前記第２部材に装着され、閉じた状態で原稿を押えるための発泡部材と
を備え、
前記原稿押え板を開閉する際には、前記付勢部材の付勢力に抗して前記第３部材をスライドさせることにより、前記原稿押え板を貫通するように前記第１開口部〜前記第３開口部が連通する状態とされ、前記原稿押え板を閉じて原稿を読み取る際には、前記第３部材をスライドさせて前記付勢部材の付勢力を開放することにより、前記第３開口部の位置をずらして前記第１開口部と前記第２開口部との間が前記第３部材によって塞がれた状態とされる、画像読取装置。
【請求項２】
載置された原稿を上方から押える原稿押え板を有する画像読取装置であって、
前記原稿押え板は、
互いに対向するように配設された第１部材および第２部材と、
前記第１部材と前記第２部材との間に配設され、前記原稿押え板を開閉する第１の状態と前記原稿押え板を閉じて原稿を読み取る第２の状態との間をスライド可能とされた第３部材と
を備え、
前記第１部材、前記第２部材および前記第３部材のそれぞれの所定の位置には、前記第１の状態では前記第１部材、前記第２部材および前記第３部材を貫通する連通穴となり、前記第２の状態では前記第３部材によって前記連通穴が塞がれるように、所定の開口部が形成された、画像読取装置。
【請求項３】
前記第１部材と前記第２部材との間に配設された付勢部材を備え、
前記第１の状態では、前記付勢部材の付勢力に抗して前記第３部材をスライドさせ、前記第２の状態では、前記第３部材をスライドさせて前記付勢部材の付勢力を開放するようにした、請求項２記載の画像読取装置。
【請求項４】
前記原稿押え板は、前記原稿押え板の下方に配設された読取本体部に開閉可能に軸支され、
前記所定の開口部は、前記原稿押え板が前記読取本体部に軸支されている側から遠ざかるにしたがって、単位面積あたりの開口面積がより大きくなるように形成された、請求項２または３に記載の画像読取装置。
【請求項５】
前記所定の開口部は、前記原稿押え板が前記読取本体部に軸支されている側から遠ざかるにしたがって、開口部１つあたりの面積がより大きくなるように形成された、請求項４記載の画像読取装置。
【請求項６】
前記所定の開口部は、前記原稿押え板が前記読取本体部に軸支されている側から遠ざかるにしたがって、単位面積あたりの開口部の数がより多くなるように形成された、請求項４記載の画像読取装置。
【発明の詳細な説明】
【技術分野】
【０００１】
本発明は画像読取装置に関し、特に、用紙を押える原稿押え板を備えた画像読取装置に関するものである。
【背景技術】
【０００２】
文字や図形等が描かれた原稿を電子データにしたり、複写したりするために画像読取装置が使用される。そのような画像読取装置は、原稿を読み取るための読取装置本体と、その読取装置本体の原稿台上に載置された原稿を上方から押えるための原稿押え板とを備えている。
【０００３】
その原稿押え板は、読取装置本体に対して開閉可能に軸支されている。原稿を読み取る際には、原稿台上に載置された原稿を上方から押えるように原稿押え板が閉じられ、その状態で読み取り動作が行なわれる。読み取り動作が完了すると、原稿押え板が開けられて原稿台から原稿が取除かれ、新たな原稿が載置される。以下、同様の動作を繰り返すことによって原稿の読み取りが行なわれることになる。
【０００４】
ところが、原稿押え板を閉じる際に、その風圧によって原稿台の所定の位置に載置された原稿がその位置からずれてしまったり、あるいは、原稿が飛んでしまうことがある。また、原稿押え板を開ける際にも、その風圧によって原稿が飛んでしまったり、あるいは、原稿押え板に原稿が付着した状態で開けられることがある。
【０００５】
このような不具合を解消する手法として、たとえば特許文献１〜特許文献３がある。特許文献１，２では、原稿押え板に開口部を設けて、原稿押え板の開閉動作に伴う風圧を調整する手法が提案されている。また、特許文献３では、原稿押え板から空気を吹き出す空気圧制御ユニットを原稿押え板に設け、原稿押え板の開閉動作に合わせて吹き出す空気の量を制御する手法が提案されている。
【特許文献１】特開平５−５３２１４号公報
【特許文献２】特開平５−６６４９６号公報
【特許文献３】特開平９−６８７６１号公報
【発明の開示】
【発明が解決しようとする課題】
【０００６】
しかしながら、従来の画像読取装置では次のような問題点があった。特許文献１、２に提案されている画像読取装置では、原稿押え板を閉じた状態で原稿を読み取る際に、原稿押え板に設けられた開口部から外光が入射するおそれがあった。また、原稿押え板の側方からも外光が進入するおそれがあった。そのため、入射した光によって原稿の読み取りに支障をきたすことがあった。
【０００７】
そして、特許文献３では、空気圧制御ユニットを設ける関係上原稿押え板の構造が複雑になって、生産コストがアップするという問題があった。
【０００８】
本発明は、上記問題点を解決するためになされたものであり、その目的は、原稿の位置ずれを確実に阻止しながら外光の入射を防ぐ画像読取装置を提供することである。
【課題を解決するための手段】
【０００９】
本発明に係る画像読取装置は、読取本体部と原稿押え板とを有している。読取本体部は原稿を電子データとして読み取る。原稿押え板は読取本体部に開閉可能に軸支され、読取本体部に載置される原稿を上方から押える。その原稿押え板は、第１部材、第２部材、第３部材、付勢部材および発泡部材を備えている。第１部材および第２部材は互いに対向するように配設され、互いに連通する所定の第１開口部および第２開口部がそれぞれ形成されている。第３部材は、第１部材と第２部材との間にスライド可能に配設され、所定の第３開口部が形成されている。付勢部材は第１部材と前記第２部材との間に配設され、第３部材に付勢力を与える。発泡部材は第２部材に装着され、閉じた状態で原稿を押える。原稿押え板を開閉する際には、付勢部材の付勢力に抗して第３部材をスライドさせることにより、原稿押え板を貫通するように第１開口部〜第３開口部が連通する状態とされ、原稿押え板を閉じて原稿を読み取る際には、第３部材をスライドさせて付勢部材の付勢力を開放することにより、第３開口部の位置をずらして第１開口部と第２開口部との間が第３部材によって塞がれた状態とされる。
【００１０】
この構成によれば、原稿押え板を開閉する際には、原稿押え板を貫通するように第１開口部〜第３開口部が連通する状態とされることで、原稿押え板と読取本体部との間に存在する空気の一部が、原稿押え板を貫通する第１開口部〜第３開口部を介して原稿押え板の上方に逃がされることになる。これにより、原稿押え板を閉じる動作に伴う風圧が緩和されて、読取本体部に載置された原稿が所定の位置からずれたりするのを防止して、精度の高い印刷を行なうことができる。一方、原稿押え板を開ける際には、原稿押え板の上方に存在する空気の一部が、第１開口部〜第３開口部を介して原稿押え板と読取本体部との間に流れ込むことになる。これにより、原稿押え板を開ける動作に伴う風圧が緩和されて、読取本体部から原稿が落下したり、原稿押え板に付着したりするのを防止することができる。そして、さらに、原稿押え板を閉じて原稿を読み取る際には、第１開口部と第２開口部との間が第３部材よって塞がれた状態とされることで、第１開口部から入射する外光が第３部材によって遮られることになる。これにより、外光が原稿の載置されている位置にまで入射するのが阻止されて、原稿の読み取りに外光が影響するのを確実に防止することができる。
【００１１】
本発明に係る他の画像読取装置は、載置された原稿を上方から押える原稿押え板を有する画像読取装置であって、その原稿押え板は第１部材、第２部材および第３部材を備えている。第１部材および第２部材は互いに対向するように配設されている。第３部材は第１部材と第２部材との間に配設されて、原稿押え板を開閉する第１の状態と原稿押え板を閉じて原稿を読み取る第２の状態との間をスライド可能とされる。第１部材、第２部材および第３部材のそれぞれの所定の位置には、第１の状態では第１部材、第２部材および第３部材を貫通する連通穴となり、第２の状態では第３部材によってその連通穴が塞がれるように、所定の開口部が形成されている。
【００１２】
この構成によれば、原稿押え板を開閉する際には、原稿押え板を貫通する連通穴が形成されることで、原稿押え板と読取本体部との間に存在する空気の一部が、その連通穴を介して原稿押え板の上方に逃がされることになる。これにより、原稿押え板を閉じる動作に伴う風圧が緩和されて、読取本体部に載置された原稿が所定の位置からずれたりするのを防止して、精度の高い印刷を行なうことができる。一方、原稿押え板を開ける際には、原稿押え板の上方に存在する空気の一部が、連通穴を介して原稿押え板と読取本体部との間に流れ込むことになる。これにより、原稿押え板を開ける動作に伴う風圧が緩和されて、読取本体部から原稿が落下したり、原稿押え板に付着したりするのを防止することができる。そして、さらに、原稿押え板を閉じて原稿を読み取る際には、連通穴が第３部材よって塞がれることで、外光が第３部材によって遮られることになる。これにより、外光が原稿の載置されている位置にまで入射するのが阻止されて、原稿の読取に外光が影響するのを確実に防止することができる。
【００１３】
第３部材を容易にスライドさせるには、第１部材と第２部材との間に配設された付勢部材を備えることが好ましく、第１の状態では、付勢部材の付勢力に抗して第３部材をスライドさせ、第２の状態では、第３部材をスライドさせて付勢部材の付勢力を開放するようにしてよい。
【００１４】
また、原稿押え板は、原稿押え板の下方に配設された読取本体部に開閉可能に軸支され、所定の開口部は、原稿押え板が読取本体部に軸支されている側から遠ざかるにしたがって、単位面積あたりの開口面積がより大きくなるように形成されていることが好ましい。
【００１５】
これにより、原稿押え板における接線速度のより高い部分において空気が連通穴を効率よく流れることができて、原稿押え板を開閉する際に伴う風圧を効果的に緩和することができる。
【００１６】
より具体的には、所定の開口部は、原稿押え板が読取本体部に軸支されている側から遠ざかるにしたがって、開口部１つあたりのの面積がより大きくなるように形成されていてもよい。また、あるいは、所定の開口部は、原稿押え板が読取本体部に軸支されている側から遠ざかるにしたがって、単位面積あたりの開口部の数がより多くなるように形成されていてもよい。
【発明を実施するための最良の形態】
【００１７】
本発明の実施の形態に係る画像読取装置として、スキャナ付きプリンタ装置について説明する。図１に示すように、スキャナ付きプリンタ装置１は、原稿を電子データとして読み取るためのスキャナ本体３と、スキャナ本体３において読み取られた原稿の電子データに基づいて所定の用紙に印刷をするためのプリンタ本体２とを備えている。そのスキャナ本体３には、原稿を載置する原稿台３ａが設けられている。その原稿台３ａの所定の位置に載置された原稿を上方から押えるための原稿押え板４がスキャナ本体３に開閉可能に軸支部１２により軸支されている。
【００１８】
図２に示すように、その原稿押え板４は、第１押え板５、第２押え板６、第３押え板７および発泡部材８により構成される。第１押え板５および第２押え板６は所定の間隔を隔てて互いに対向するように配設され、第１押え板５には複数の第１開口部５ａが設けられ、第２押え板６にも複数の第２開口部６ａが設けられている。第１開口部５ａおよび第２開口部６ａは、互いに連通するように同じ位置に設けられている。
【００１９】
その第１押え板５と第２押え板６のとの隙間に、第３押え板７がスプリング１０の付勢力によってスライド可能に配設されている。その第３押え板７には、第１開口部５ａおよび第２開口部６ａの位置に対応した所定の第３開口部７ａが形成されている。また、第３押え板７の端部には、スプリング１０の付勢力（矢印３１）に抗して第３押え板７をスライドさせるためのレバー１１が設けられている。発泡部材８は第２押え板６における原稿台と対向する側の面に配設され、空気の流通が容易なスポンジが採用されている。
【００２０】
原稿押え板４においては、第３押え板７がスプリング１０の付勢力から開放された状態では、図２に示すように、第３開口部７ａの位置が互いに連通するように配設された第１開口部５ａおよび第２開口部６ａからずれて、第３押え板７が第１開口部５ａと第２開口部６ａとの間を塞いだ状態となる。
【００２１】
一方、図３および図４に示すように、第３押え板７をスプリング１０の付勢力に抗してスライド（矢印３２）させた状態では、互いに連通するように配設された第１開口部５ａおよび第２開口部６ａと同じ位置に第３開口部７ａが位置して、第１開口部５ａ、第３開口部７ａおよび第２開口部６ａが互いに連通し、原稿押え板４を貫通する開口部９が形成された状態となる。本スキャナ付きプリンタ装置１は上記のように構成される。
【００２２】
次に、上述したスキャナ付きプリンタ装置１の動作について説明する。まず、原稿を読み取る際には、図５に示すように、原稿台３ａにおける原稿のサイズに対応した所定の位置に原稿２０が載置される。次に、スプリング１０の付勢力に抗して指（図示せず）でレバー１１を矢印３２に示す方向に押して第３押え板７をスライドさせる。こうすることで、第１開口部５ａ、第３開口部７ａおよび第２開口部６ａが互いに連通して、原稿押え板４を貫通する開口部９が形成された状態となる。
【００２３】
次に、この状態を保持したまま原稿押え板４が矢印３３に示すように閉じられる。このとき、原稿押え板４と原稿台３ａとの間に存在する空気の一部が、矢印４１に示すように原稿押え板４を貫通する開口部９を介して原稿押え板４の上方に逃がされる。これにより、原稿押え板４を閉じる動作に伴う風圧が緩和されることになる。
【００２４】
次に、図６に示すように、原稿押え板４が閉じられると、レバー１１から指（図示せず）を放して第３押え板７をスプリング１０の付勢力によって矢印３１に示す方向にスライドさせ、第３押え板７を付勢力から開放させる。こうすることで、互いに連通していた第１開口部５ａ〜第３開口部７ａのうち、第３開口部７ａの位置が第１開口部５ａおよび第２開口部６ａの位置からずれて、第３押え板７が第１開口部５ａと第２開口部６ａとの間を塞いだ状態となる。
【００２５】
次に、この状態で原稿２０のスキャナ本体３による読み取りが行なわれる。このとき、第１開口部５ａと第２開口部６ａとの間が第３押え板７によって塞がれていることで、開口部５ａから入射する外光が第３押え板７によって遮られて、原稿２０の載置されている位置にまで入射するのが阻止されることになる。
【００２６】
次に、原稿の読み取り動作が完了すると、図７に示すように、原稿押え板４を閉じる場合と同様にして、レバー１１を矢印３２に示す方向に押して第３押え板７をスライドさせて、第１開口部５ａ、第３開口部７ａおよび第２開口部６ａを互いに連通させ、原稿押え板４を貫通する開口部９が形成された状態とする。
【００２７】
次に、この状態を保持したまま、原稿押え板４が矢印３４に示すように開けられる。このとき、原稿押え板４の上方に存在する空気の一部が、矢印４２に示すように原稿押え板４を貫通する開口部９を介して原稿押え板４と原稿台３ａとの間に流れ込む。これにより、原稿押え板４を開ける動作に伴う風圧が緩和されることになる。
【００２８】
原稿押え板４が開けられると、読み取られた原稿が原稿台３ａから取除かれて、次の新たな原稿が原稿台３ａに載置され、上述した読み取り動作が行なわれる。以下、同様の動作を繰り返すことにより原稿の読み取り動作が順次行なわれることになる。
【００２９】
上述したスキャナ付きプリンタ装置１によれば、原稿押え板４の第３押え板７をスプリング１０の付勢力に抗してスライド（矢印３２）させた状態では、第１開口部５ａ、第３開口部７ａおよび第２開口部６ａが互いに連通し、原稿押え板４を貫通する開口部９が形成された状態となる。
【００３０】
これにより、原稿押え板４を閉じる際には、原稿押え板４と原稿台３ａとの間に存在する空気の一部が、原稿押え板４を貫通する開口部９を介して原稿押え板４の上方に逃がされることになる。これにより、原稿押え板４を閉じる動作に伴う風圧が緩和されて、原稿台３ａに載置された原稿２０が所定の位置からずれたり、あるいは、原稿台３ａから落下したりするのを防止して、精度の高い印刷を行なうことができる。
【００３１】
一方、原稿押え板４を開ける際には、原稿押え板４の上方に存在する空気の一部が、原稿押え板４を貫通する開口部９を介して原稿押え板４と原稿台３ａとの間に流れ込むことになる。これにより、原稿押え板４を開ける動作に伴う風圧が緩和されて、原稿台３ａから原稿２０が落下したり、原稿押え板４に付着したりするのを防止することができる。
【００３２】
そして、原稿押え板４を閉じスプリングの付勢力を開放させて原稿２０を読み取る際には、第１開口部５ａと第２開口部６ａとの間が第３押え板７によって塞がれて、開口部５ａから入射する外光が第３押え板７によって遮られることになる。これにより、外光が原稿２０の載置されている位置にまで入射するのが阻止されて、原稿２０の読み取りに外光が影響するのを確実に防止することができる。
【００３３】
なお、上述したスキャナ付きプリンタ装置では、原稿押え板４に形成される開口部（第１開口部〜第３開口部）として、同じ開口面積を有する開口部を一定の間隔を隔てて配設された場合を図示して説明したが、開口部の形状や開口部の配置はこれに限られるものではない。原稿押え板４においては、軸支部１２から離れるにしたがって原稿押え板４における開閉時の各部分の接線速度が大きくなる。そのため、原稿押え板４の開閉動作においては、軸支部１２から離れた部分ほど周囲の空気を掻き乱しやすくなる。
【００３４】
そこで、図８に示すように、一の変形例に係るスキャナ付きプリンタ装置１の原稿押え板４では、開口部５ａ〜７ａは、開口部１つあたりの面積の面積を一定として軸支部１２の側から離れるにしたがって単位面積あたりの開口部の数が増加するように形成されている。こうすることで、原稿押え板４における接線速度のより高い部分において空気が開口部５ａ〜７ａを効率よく流れることができて、原稿押え板４を開閉する際に伴う風圧を効果的に緩和することができる。
【００３５】
また、図９に示すように、他の変形例に係るスキャナ付きプリンタ装置１の原稿押え板４では、開口部５ａ〜７ａは、軸支部１２の側から離れるにしたがって開口部１つあたりの開口面積が増加するように形成されている。こうすることによっても、原稿押え板４における接線速度のより高い部分において空気が開口部５ａ〜７ａを効率よく流れることができて、原稿押え板４を開閉する際に伴う風圧を効果的に緩和することができる。
【００３６】
また、上記実施の形態ではスキャナ付きプリンタ装置を例に挙げて説明したが、本発明は、スキャナ付きプリンタ装置に限られず、複写機等の画像読取装置に適用することができる。
【００３７】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【図面の簡単な説明】
【００３８】
【図１】本発明の実施の形態に係るスキャナ付きプリンタ装置の斜視図である。
【図２】同実施の形態において、スキャナ付きプリンタ装置に配設された原稿押え板の第１の状態における断面図である。
【図３】同実施の形態において、原稿押え板の第２の状態におけるスキャナ付きプリンタ装置の斜視図である。
【図４】同実施の形態において、原稿押え板の第２の状態における断面図である。
【図５】同実施の形態において、スキャナ付きプリンタ装置の動作を説明するための原稿押え板を閉じる際の様子を示す断面図である。
【図６】同実施の形態において、スキャナ付きプリンタ装置の動作を説明するための原稿押え板を閉じた状態を示す断面図である。
【図７】同実施の形態において、スキャナ付きプリンタ装置の動作を説明するための原稿押え板を開ける際の様子を示す断面図である。
【図８】同実施の形態において、一変形例に係るスキャナ付きプリンタ装置の斜視図である。
【図９】同実施の形態において、他の変形例に係るスキャナ付きプリンタ装置の斜視図である。
【符号の説明】
【００３９】
１  スキャナ付きプリンタ装置、２  プリンタ本体、３  スキャナ本体、３ａ  原稿台、４  原稿押え板、５  第１押え板、５ａ  第１開口部、６  第２押え板、６ａ  第２開口部、７  第３押え板、７ａ  第３開口部、８  発泡部材、９  開口部、１０  スプリング、１１  レバー、１２  軸支部、２０  原稿。
【図１】
2006345161.tif 000003
【図２】
2006345161.tif 000004
【図３】
2006345161.tif 000005
【図４】
2006345161.tif 000006
【図５】
2006345161.tif 000007
【図６】
2006345161.tif 000008
【図７】
2006345161.tif 000009
【図８】
2006345161.tif 000010
【図９】
2006345161.tif 000011